(57)【要約】【課題】回転手段によって回転されることにより腕時計のゼンマイを巻き上げる腕時計収納ホルダーにおいて、腕時計の着脱が容易な腕時計収納ホルダーを提供することを課題とする。【解決手段】略円筒形状を呈する円筒部１２と、この円筒部１２に内設され、腕時計が着脱される着脱部１５と、を有し、回転手段によって回転されることにより腕時計のゼンマイを巻き上げる腕時計収納ホルダー１０であって、前記着脱部１５は、弾性変形可能な本体部の両端に、略環状に形成された一対の指挿入部１５ｃを有することを特徴とする。【選択図】図１
2008032613.tif 000002
【特許請求の範囲】
【請求項１】
略円筒形状を呈する円筒部と、
この円筒部に内設され、腕時計が着脱される着脱部と、を有し、回転手段によって回転されることにより腕時計のゼンマイを巻き上げる腕時計収納ホルダーであって、
前記着脱部は、弾性変形可能な本体部の両端に、略環状に形成された一対の指挿入部を有することを特徴とする腕時計収納ホルダー。
【請求項２】
前記円筒部の一方の開口部に設置される背面板と、
この背面板に、重量バランスを整える切欠き部と、を有することを特徴とする請求項１に記載の腕時計収納ホルダー。
【請求項３】
前記背面板と前記着脱部とを連結する連結部を有し、
前記連結部は、
前記背面板に留め付けられる基板と、
前記着脱部が略垂直に設置される保持板と、を有し、
前記基板と前記保持板は鋭角に開いていることを特徴とする請求項２に記載の腕時計収納ホルダー。 
【発明の詳細な説明】
【技術分野】
【０００１】
本発明は、腕時計を収納して回転させることにより、腕時計のゼンマイを巻き上げる腕時計収納ホルダーに関する。
【背景技術】
【０００２】
自動巻き腕時計は、内部に半円形のローターが組み込まれており、利用者が腕を振ることにより、ローターが回転しゼンマイを巻き上げる腕時計である。自動巻き腕時計は、利用者が装着している場合は動き続けるが、利用者がこの腕時計を外し数日間静置しておくと、ゼンマイが巻き上げられないため停止してしまう。このような場合には、装着する際に逐一時刻を合わせなければならないため手間がかかった。
【０００３】
このような手間を解消するものとして、自動巻き腕時計の巻上げ装置が特許文献１に記載されている。特許文献１に係る発明は、自動巻き腕時計が内設された腕時計収納ホルダー（ドラム）を２本以上の軸（ローラ）に着脱可能に設置し、駆動源に接続された軸が回転することにより、腕時計収納ホルダーが回転する装置である。これにより、自動巻き腕時計を外している間も自動巻き腕時計のゼンマイが巻き上げられるため、停止することがなく時を刻むことができる。
【０００４】
【特許文献１】実用新案登録第３０５７９６２号公報（図２）
【発明の開示】
【発明が解決しようとする課題】
【０００５】
ここで、複数の腕時計を保持している利用者は、その日の気分や時間、場所、目的等に応じて適宜腕時計を選定するものである。従って、自動巻き腕時計と腕時計収納ホルダーとの着脱は頻繁に行われるため、着脱が容易であることが好ましい。
しかしながら、特許文献１には、腕時計収納ホルダーの具体的な構成は記載されていない。
そこで本発明は、回転手段によって回転されることにより腕時計のゼンマイを巻き上げる腕時計収納ホルダーにおいて、腕時計の着脱が容易な腕時計収納ホルダーを提供することを課題とする。
【課題を解決するための手段】
【０００６】
このような課題を解決するために創案された発明は、略円筒形状を呈する円筒部と、この円筒部に内設され、腕時計が着脱される着脱部と、を有し、回転手段によって回転されることにより腕時計のゼンマイを巻き上げる腕時計収納ホルダーであって、前記着脱部は、弾性変形可能な本体部の両端に、略環状に形成された一対の指挿入部を有することを特徴とする。
【０００７】
かかる発明によれば、一対の指挿入部に内向きの力を加えると、本体部に曲げ変形が発生し、一対の指挿入部の離隔距離が小さくなるので、着脱部の幅を狭めることができ、容易に腕時計の着脱を行うことができる。
即ち、着脱部に腕時計を保持させる場合には、幅を狭めた状態（一対の指挿入部に内向きの力を加えた状態）の着脱部に、バンドを締結するなどして環状にした腕時計を環装し、その後、一対の指挿入部に加えていた内向きの力を解放すればよい。内向きの力を解放すると、本体部の復元力により一対の指挿入部の離隔距離が大きくなって指挿入部の外周面が適当な押圧力で腕時計の内周面に当接し、腕時計が着脱部に保持される。
また、着脱部から腕時計を離脱させる場合には、一対の指挿入部に内向きの力を加えて着脱部の幅を狭めたうえで、腕時計を取り外せばよい。
【０００８】
また、本発明は、前記円筒部の一方の開口部に設置される背面板と、この背面板に、重量バランスを整える切欠き部と、を形成してもよい。
【０００９】
かかる発明によれば、腕時計収納ホルダーの重量バランスを整える切欠き部が形成されているため、腕時計収納ホルダーをバランスよく回転させることができる。
【００１０】
また、本発明は、前記背面板と前記着脱部とを連結する連結部を有し、前記連結部は、前記背面板に留め付けられる基板と、前記着脱部が略垂直に設置される保持板と、を有し、前記基板と前記保持板は鋭角に開いてもよい。
【００１１】
かかる発明によれば、着脱部に設置される自動巻き腕時計は、水平面に対して鋭角に傾いた状態で回転するため、ローターが一箇所に停滞することなく、好適に自動巻き腕時計のゼンマイを巻き上げることができる。
【発明の効果】
【００１２】
本発明によれば、腕時計を腕時計収納ホルダーに容易に着脱することができる。
【発明を実施するための最良の形態】
【００１３】
本発明の実施形態について図面を参照して詳細に説明する。図１は、本実施形態に係る腕時計収納ホルダーを示した正面側の斜視図である。図２は、図１の腕時計収納ホルダーを示した背面図である。図３は、図１の腕時計収納ホルダーを示した側面図である。図４は、着脱部を示した正面図である。図５は、本実施形態に係る腕時計収納ホルダーの使用例を示した斜視図である。なお、本実施形態の説明における上下方向は、図１における紙面の上下方向と同等とする。
【００１４】
［第一実施形態］
本実施形態に係る腕時計収納ホルダー１０は、図１に示すように、本実施形態においては、円筒状を呈する円筒部１２と、円筒部１２の一方の開放側に設置される背面板１３と、背面板１３を切り欠いて形成される切欠き部１４と、自動巻き腕時計Ｕが着脱される着脱部１５と、背面板１３と着脱部１５を連結する連結部１７と、からなる。
【００１５】
円筒部１２は、図１に示すように、自動巻き腕時計ＵのバンドＵ１を締結した状態（以下、自動巻き腕時計ＵのバンドＵ１が締結された状態を締結状態、自動巻き腕時計ＵのバンドＵ１が締結されていない状態を開放状態とする）よりも大きい直径及び幅からなり、自動巻き腕時計Ｕを包囲するように形成されている。なお、円筒部１２の直径は、設置する自動巻き腕時計Ｕの大きさによって適宜設定すればよい。
【００１６】
背面板１３は、図２に示すように、公知の接着剤により円筒部１２の一方の開口部を塞ぐように設置されている。円筒部１２及び背面板１３は、本実施形態においては、アクリル樹脂からなり、外部から自動巻き腕時計Ｕが視認できるように形成されている。円筒部１２及び背面板１３の材質はこれに限定されるものではないが、自動巻き腕時計Ｕを外部から視認できるように透明な部材を用いることが好ましい。
【００１７】
切欠き部１４は、図２に示すように、背面板１３を切り欠いて形成された部分であって、本実施形態においては、その大部分が背面板１３の上方に位置している。このように、切欠き部１４を設けることにより、背面板１３の上部が下部よりも軽量になり、自動巻き腕時計Ｕと腕時計収納ホルダー１０の重心のバランスを図ることができる。
図２及び図３に示すように、自動巻き腕時計Ｕは、着脱のしやすさを考慮して、自動巻き腕時計Ｕのうち最も重量のある胴体部Ｕ２の中心が、円筒部１２の中心よりも上方に位置するように設置されている。このため、背面板１３が円筒部１２の開口部を全て塞ぐ形態であると、腕時計収納ホルダー１０の回転バランスに偏りが生じてしまう。従って、切欠き部１４を形成して背面板１３の上部の重量を軽減することにより、重心の偏りを抑制し、回転バランスを整えるものである。
【００１８】
なお、切欠き部１４は、本実施形態においては、略半円形状に形成されているが、切欠き部１４の形状を限定する趣旨ではない。また、切欠き部１４は、本実施形態においては、一の切欠き部１４からなるが、複数の切欠き部１４を設けてもよい。また、切欠き部１４の大きさや位置は、自動巻き腕時計Ｕの種類、重量、設置位置等に合わせて適宜設定してもよい。
【００１９】
なお、切欠き部１４には、本実施形態においては、図２に示すように、背面板１３の中央をやや盛り上げその両側を窪ませることにより、凹部１８，１８が形成されている。これにより、利用者の親指と人差し指を凹部１８に係止させ、他の指で円筒部１２の下端を保持することで、片手で好適に腕時計収納ホルダー１０を保持することができる。
【００２０】
着脱部１５は、図４に示すように、本実施形態においては、後記する保持板１７ｂに留め付けられ、弾性変形可能な本体部１５ａと、本体部１５ａの両端に略環状に形成される一対の環状部１５ｂ，１５ｂとからなり、環状部１５ｂの内部には、指が挿入される指挿入部１５ｃ，１５ｃが形成されている。環状部１５ｂの先端は、指が挿入しやすいように自由端となっている。着脱部１５は、本実施形態においては、薄板帯状鋼板の両端を略円環状に湾曲させて形成されている。着脱部１５は、一対の指挿入部１５ｃに内向きの力を加えると、本体部１５ａに曲げ変形が発生し、一対の指挿入部１５ｃの離隔距離が小さくなるので、着脱部１５の幅が狭めることができ、容易に自動巻き腕時計Ｕを保持させることができる。
【００２１】
また、着脱部１５は、本実施形態においては、着脱時の自動巻き腕時計Ｕの損傷防止及び着脱部１５から自動巻き腕時計Ｕの脱落防止のため、薄板帯状鋼板の外周に滑り止め層（図示外）が被覆されている。滑り止め層は、本実施形態においては、シリコンを用いているが他の素材でもよく、滑り落ちないように静止摩擦係数の高い素材（ゴムや樹脂等）であることが好ましい。
なお、本実施形態においては、指挿入部１５ｃの先端は自由端としたが、これに限定されるものではなく、当該先端を薄板帯状鋼板に固着させてもよい。環状部１５ｂの形状は円形に限定されるものではなく、多角形状であってもよい。
【００２２】
なお、着脱部１５は、本実施形態においては薄板鋼板を用いたが、これに限定されるものではなく、自動巻き腕時計Ｕを保持できる剛性を有すると共に、指でつまむことができ、元の形状に復元する程度の弾性を有する素材であることが好ましい。また、本体部１５ａ及び環状部１５ｂは、本実施形態においては、一体形成された薄板帯状鋼板からなるが、これに限定されるものではなく、両者が異なる素材であってもよい。
また、着脱部１５の大きさは、設置される自動巻き腕時計Ｕの大きさに合わせて腕時計収納ホルダー１０ごとに変えてもよい。これにより、男性用又は女性用等大きさの異なる自動巻き腕時計Ｕであっても対応することができる。
また、自動巻き腕時計Ｕの脱落防止及び自動巻き腕時計Ｕの着脱の際における損傷防止のため、着脱部１５の外周に、例えば、塩化ビニル又はシリコン等により滑り止め層（図示外）を形成してもよい。
【００２３】
連結部１７は、図３に示すように、背面板１３に留め付けられる基板１７ａと、基板１７ａの上端から斜め下方に向って張り出し、着脱部１５を留め付ける保持板１７ｂとからなる。連結部１７は、背面板１３と着脱部１５を連結するためのものであり、本実施形態においては、薄板鋼板を折り曲げて形成されている。基板１７ａは、図３に示すように、リベット等の留付具２０を介して背面板１３と留め付けられている。一方、保持板１７ｂには、図２及び図３に示すように、保持板１７ｂと略垂直に着脱部１５がリベット等の留付具（図示外）を介して留め付けられている。
【００２４】
連結部１７を構成する基板１７ａと保持板１７ｂは、本実施形態においては、図３に示すように、開き角度αが約４５°となるように形成されている。即ち、自動巻き腕時計Ｕの胴体部Ｕ２は、図３に示すように、水平線Ｓから４５°傾いた状態で回転する。これにより、自動巻き腕時計Ｕを好適に巻き上げることができると共に、文字盤（図示外）が斜め上方を向いて腕時計収納ホルダー１０の周方向に回転するため観賞性にも優れている。
【００２５】
ここで、自動巻き腕時計Ｕが好適に巻き上げられる理由を、開き角度αが９０°である場合（自動巻き腕時計Ｕの胴体部Ｕ２が水平となる場合）と比較して説明する。開き角度αが９０°である場合に腕時計収納ホルダー１０を回転させると、自動巻き腕時計Ｕの種類によっては、自動巻き腕時計Ｕのローターが、例えば、文字盤の１２時に位置したまま振動しない可能性があり、ゼンマイ（図示外）の巻き上げ効率が低下する可能性がある。しかし、自動巻き腕時計Ｕを傾けたうえで回転させることにより、ローターを的確に振動させ、前記した不都合を解消することができる。なお、本実施形態においては、開き角度αは４５°としたが、角度を限定するものではなく、０°＜α＜９０であることが好ましく、３０°＜α＜６０°であることがより一層好ましい。
【００２６】
なお、連結部１７は、本実施形態においては、薄板鋼板を用いたがこれに限定される趣旨ではなく、他の形状、素材から形成されてもよい。また、連結部１７は、本実施形態においては、着脱部１５と背面板１３を連結したが、これに限定されるものではなく、着脱部１５と背面板１３のうち少なくとも一方と着脱部１５を連結すればよい。
【００２７】
なお、腕時計収納ホルダー１０は、本実施形態においては、前記したように形成したが、これに限定されるものではない。例えば、円筒部１２の外周に滑り止め層（図示外）を設けてもよい。
【００２８】
ここで、腕時計収納ホルダー１０の自動巻き腕時計Ｕの着脱方法について説明する。
利用者は、自動巻き腕時計ＵのバンドＵ１を締めて予め締結状態にしておく。そして、左手でこの自動巻き腕時計Ｕを保持すると共に、右手の親指と人差し指を腕時計収納ホルダー１０の背面板１３側から切欠き部１４を通して（図３参照）着脱部１５の指挿入部１５ｃに挿通させる。そして、右手の親指と人差し指をつまむことで一対の指挿入部１５ｃの離隔距離を狭める。そして、締結状態の自動巻き腕時計ＵのバンドＵ１を着脱部１５に環装させ、右手の親指と人差し指を開放する。すると、本体部１５ａの復元力により一対の指挿入部１５ｃの離隔距離が大きくなって指挿入部１５ｃの外周面が適当な押圧力で自動巻き腕時計Ｕの内周面に当接し、自動巻き腕時計Ｕが着脱部１５に保持される。
また、着脱部１５から自動巻き腕時計Ｕを離脱させる場合には、一対の指挿入部１５ｃに内向きの力を加えて着脱部１５の幅を狭めたうえで、自動巻き腕時計Ｕを取り外せばよい。
【００２９】
次に、本実施形態に係る腕時計収納ホルダー１０の使用方法を、回転手段１（以下、腕時計巻上げ装置１ともいう）を例にして説明する。
腕時計巻上げ装置１は、図５に示すように、本実施形態においては、所定の間隔を開けて並設されている回転軸９，９と、回転軸９を回転させる駆動源３０と、を有する。
【００３０】
回転軸９は、図１の２点鎖線及び図５で示すように、腕時計収納ホルダー１０の円筒部１２と接触して、所定の間隔を開けて２本配設されている。回転軸９は、本実施形態においては、駆動源３０に直結された駆動軸９ａと、仕切り板Ｋ，Ｋに回転可能に支持されている従動軸９ｂとからなる。従動軸９ｂは、腕時計収納ホルダー１０と接触し、腕時計収納ホルダー１０の回転に伴って回転する回転軸である。なお、駆動軸９ａ及び従動軸９ｂは、共に軸径の大きい大径部及び軸径の小さい小径部を備え、略同等の長さから形成されているが、回転軸９の形状を限定する趣旨ではない。
駆動源３０は、本実施形態においては、調節つまみ３１と連動して動く公知のモーターからなり、調節つまみ３１を操作して、回転軸９に回転を付与するものである。
【００３１】
利用者は、腕時計収納ホルダー１０を回転軸９（駆動軸９ａ及び従動軸９ｂ）に載置させて、回転軸９の外周面と、腕時計収納ホルダー１０の外周面を接触させることにより、腕時計収納ホルダー１０を回転させることができる。また、回転軸９及び腕時計収納ホルダー１０は、共に外周に円を含む形状であるため、滑らかに回転させることができる。
【００３２】
なお、腕時計収納ホルダー１０を回転させる回転手段は、腕時計巻上げ装置１に限定されるものではない。例えば、手動により回転させてもよいし、腕時計収納ホルダー１０の背面板１３の略中央部分と公知のモーターとをギアなどの連結具で連結して回転させてもよい。
【００３３】
以上、本実施形態に係る腕時計収納ホルダー１０によれば、一対の指挿入部１５ｃに内向きの力を加えると、本体部１５ａに曲げ変形が発生し、一対の指挿入部１５ｃの離隔距離が小さくなるので、着脱部１５の幅を狭めることができ、自動巻き腕時計Ｕの着脱を容易に行うことができる。
【００３４】
また、腕時計収納ホルダー１０は、腕時計収納ホルダー１０の重量バランスを整える切欠き部１４が形成されているため、腕時計収納ホルダー１０をバランスよく回転させることができる。また、自動巻き腕時計Ｕを着脱する場合に、背面板１３に切欠き部１４が設けられているため、腕時計収納ホルダー１０の正面側及び背面側から手を出入することができ、着脱作業を容易に行うことができる。
【００３５】
また、腕時計収納ホルダー１０に設置される自動巻き腕時計Ｕは、水平面に対して鋭角に傾いた状態で回転するため、自動巻き腕時計Ｕのローターが一箇所に停滞することなく、好適に自動巻き腕時計Ｕのゼンマイを巻き上げることができる。
【００３６】
以上、本発明の腕時計収納ホルダー１０の最良の実施形態について詳細に説明したが、本発明の趣旨に反しない範囲において、適宜変更が可能である。
【図面の簡単な説明】
【００３７】
【図１】本実施形態に係る腕時計収納ホルダーを示した正面斜視図である。
【図２】本実施形態に係る腕時計収納ホルダーの背面図である。
【図３】本実施形態に係る腕時計収納ホルダーの側面図である
【図４】本実施形態に係る腕時計収納ホルダーの着脱部の正面図である。
【図５】本実施形態に係る腕時計収納ホルダーの使用例を示した斜視図である。
【符号の説明】
【００３８】
１      回転手段（腕時計巻上げ装置）
９      回転軸
１０    腕時計収納ホルダー
１２    円筒部
１３    背面板
１４    切欠き部
１５    着脱部
１５ａ  本体部
１５ｂ  環状部
１５ｃ  指挿入部
１７    連結部
１７ａ  基板
１７ｂ  保持板
Ｕ      自動巻き腕時計
【図１】
2008032613.tif 000003
【図２】
2008032613.tif 000004
【図３】
2008032613.tif 000005
【図４】
2008032613.tif 000006
【図５】
2008032613.tif 000007